(57)【要約】【課題】複数の照明器具を備えた照明システムにおいて、各照明器具の動作設定を容易に行うことができるようにする。【解決手段】複数の照明器具２を備える照明システムであって、複数の照明器具２は、コントローラ１から出力される照明制御信号が伝送される同一のネットワーク４に接続された照明器具２Ａ，２Ｂを含む。照明器具２Ａは、ユーザが動作設定を行うための操作部２２と、操作部２２が受けた動作設定に従って、自己の動作設定を行う設定部２６と、設定部２６によって設定された動作設定を示す専用信号を生成する信号生成部２７と、信号生成部２７によって生成された専用信号を、ネットワーク４に送信する通信部２１とを備える。照明器具２Ｂは、ネットワーク４から専用信号を受信する通信部２１と、専用信号が示す動作設定を、自己の動作設定として設定する設定部２６とを備える。【選択図】図１
2020136132.tif 000002
【特許請求の範囲】
【請求項１】
複数の照明器具を備える照明システムであって、
前記複数の照明器具は、コントローラから出力される照明制御信号が伝送される同一のネットワークに接続された第１および第２照明器具を含み、
前記第１照明器具は、
ユーザが動作設定を行うための操作部と、
前記操作部が受けた動作設定に従って、自己の動作設定を行う第１設定部と、
前記第１設定部によって設定された動作設定を示す専用信号を生成する信号生成部と、
前記信号生成部によって生成された専用信号を、前記ネットワークに送信する第１通信部とを備え、
前記第２照明器具は、
前記ネットワークから前記専用信号を受信する第２通信部と、
前記専用信号が示す動作設定を、自己の動作設定として設定する第２設定部とを備えることを特徴とする照明システム。
【請求項２】
請求項１記載の照明システムにおいて、
前記信号生成部は、前記専用信号を前記照明制御信号と同一のプロトコルで生成することを特徴とする照明システム。
【請求項３】
請求項１または２記載の照明システムにおいて、
前記第１照明器具は、前記第１設定部によって自己の動作設定が行われたとき、前記専用信号を前記ネットワークに送信することを特徴とする照明システム。
【請求項４】
請求項１〜３のいずれか１項記載の照明システムにおいて、
前記第１照明器具は、前記専用信号を送信するか否かを設定可能に構成されていることを特徴とする照明システム。
【請求項５】
請求項１〜４のいずれか１項記載の照明システムにおいて、
前記第２照明器具は、前記専用信号が示す動作設定を、自己の動作設定として設定するか否かを設定可能に構成されていることを特徴とする照明システム。
【請求項６】
請求項１〜５のいずれか１項記載の照明システムにおいて、
前記動作設定は、ネットワークにおける通信アドレスの設定、前記照明制御信号が遮断された場合の動作設定、制御チャンネルモードの設定、色補正モードの有無の設定、調光カーブの設定、調光レベル表示方式の設定、点灯状態の設定、調光分解能の設定、放熱ファンのＯＮ／ＯＦＦの設定、ランプチェックのＯＮ／ＯＦＦの設定、および色温度の設定のうち少なくともいずれか１つを含むことを特徴とする照明システム。
【請求項７】
コントローラから出力される照明制御信号が伝送されるネットワークに接続される照明器具であって、
ユーザが動作設定を行うための操作部と、
前記操作部が受けた動作設定に従って、自己の動作設定を行う設定部と、
前記設定部によって設定された動作設定を示す専用信号を生成する信号生成部と、
前記信号生成部により生成された専用信号を、前記ネットワークに送信する通信部とを備えることを特徴とする照明器具。
【請求項８】
請求項７記載の照明器具において、
前記通信部は、前記ネットワークから、他の照明器具から送信された、当該他の照明器具の動作設定を示す前記専用信号を受信し、
前記設定部は、前記専用信号が示す動作設定を、自己の動作設定として設定することを特徴とする照明器具。
【請求項９】
コントローラから出力される照明制御信号が伝送されるネットワークに接続される照明器具であって、
前記ネットワークから、他の照明器具から送信された、当該他の照明器具の動作設定を示す専用信号を受信する通信部と、
前記専用信号が示す動作設定を、自己の動作設定として設定する設定部とを備えることを特徴とする照明器具。
【請求項１０】
複数の照明器具を備える照明システムの制御方法であって、
前記複数の照明器具は、コントローラから出力される照明制御信号が伝送される同一のネットワークに接続された第１および第２照明器具を含み、
前記第１照明器具は、
ユーザからの動作設定を受け、
ユーザから受けた動作設定に従って、自己の動作設定を行い、
設定した自己の動作設定を示す専用信号を生成し、
生成した専用信号を、前記ネットワークに送信し、
前記第２照明器具は、
前記ネットワークから前記専用信号を受信し、
受信した専用信号が示す動作設定を、自己の動作設定として設定することを特徴とする照明システムの制御方法。
【発明の詳細な説明】
【技術分野】
【０００１】
本発明は、複数の照明器具を備える照明システムにおける照明器具の動作設定に関するものである。
【背景技術】
【０００２】
従来より、コントローラから各照明器具に照明制御信号を送信して、照明器具を制御する照明システムが知られている。特許文献１では、広域ネットワークのそれぞれのアクセスポイントを介して、別々のローカルエリアネットワークに接続されている照明負荷の調光制御を行うことができる調光制御端末装置（コントローラ）が開示されている。
【先行技術文献】
【特許文献】
【０００３】
【特許文献１】特開２００６−１４００２６号公報
【発明の概要】
【発明が解決しようとする課題】
【０００４】
ところで、照明器具には、各種の動作設定（例えば、通信アドレスの設定や照明制御信号断絶時の設定等）を行うことができるものがある。このような照明器具は、一般に、所定の動作設定に設定された状態で生産される。このため、ユーザは、照明器具を照明システムに設置する際に、照明器具の動作設定を好みの動作設定に設定する必要がある。
【０００５】
同一の照明システムに設置される照明器具には、同じ動作設定が行われることが多いため、照明器具ごとに動作設定を行わなければならないとすると、非常に手間である。特に、照明システム内の照明器具の設置台数が多い場合には、動作設定の設定ミスが生じやすい。
【０００６】
また、ＲＤＭ（Remote Device Management）システムを用いれば、各照明器具に対して同時に同じ動作設定を行うことも可能であるが、ＲＤＭシステムを構築するために、別途装置（例えば、コンピュータ、および、ＲＤＭ／イーサネット（登録商標）変換器）が必要となり、コストが掛かる。
【０００７】
そこで、本発明は、複数の照明器具を備えた照明システムにおいて、各照明器具の動作設定を容易に設定することができるようにすることを目的とする。
【課題を解決するための手段】
【０００８】
前記目的を達成するために、複数の照明器具を備える照明システムであって、前記複数の照明器具は、コントローラから出力される照明制御信号が伝送される同一のネットワークに接続された第１および第２照明器具を含む。前記第１照明器具は、ユーザが動作設定を行うための操作部と、前記操作部が受けた動作設定に従って、自己の動作設定を行う第１設定部と、前記第１設定部によって設定された動作設定を示す専用信号を生成する信号生成部と、前記信号生成部によって生成された専用信号を、前記ネットワークに送信する第１通信部とを備える。前記第２照明器具は、前記ネットワークから前記専用信号を受信する第２通信部と、前記専用信号が示す動作設定を、自己の動作設定として設定する第２設定部とを備える。
【発明の効果】
【０００９】
本発明によると、複数の照明器具を備えた照明システムにおいて、各照明器具の動作設定を容易に設定することができる。
【図面の簡単な説明】
【００１０】
【図１】本実施形態に係る照明システムのブロック図。
【図２】本実施形態に係る照明システムの全体構成図。
【図３】ＤＭＸ−５１２規格に従って生成された信号の波形図。
【図４】照明システムの動作を示すフローチャート
【発明を実施するための形態】
【００１１】
以下、本発明の実施形態を図面に基づいて詳細に説明する。以下の好ましい実施形態の説明は、本質的に例示に過ぎず、本発明、その適用物あるいはその用途を制限することを意図するものでは全くない。
【００１２】
（第１実施形態）
（照明システムの全体構成）
図１は本実施形態に係る照明システムのブロック図であり、図２は本実施形態に係る照明システムの全体構成図である。なお、図２では、コントローラ１および照明器具２の内部構成を省略して図示している。
【００１３】
照明システムＡは、コントローラ１と、複数の照明器具２（２Ａ，２Ｂ，２Ｃ）とを備える。コントローラ１および複数の照明器具２は、同一のネットワーク４に接続されており、ネットワーク４を介して、通信可能である。ネットワーク４は、例えば、ＤＭＸ（Digital Multiplex）ケーブル等で構成された通信網である。コントローラ１は、ネットワーク４を介して、各照明器具２に照明制御信号を送信する。照明器具２は、ネットワーク４を介して受信した照明制御信号に含まれる制御値に基づいて、自己の光源２５の態様（光源の色彩、強度、向き等）を変化させる。
【００１４】
（コントローラ１の構成）
コントローラ１は、操作部１１と、制御部１２と、通信部１３とを備える。
【００１５】
操作部１１は、ユーザからの操作入力を受け付ける。操作部１１は、例えば、キーボード、マウス、タッチパネル、フェーダ等の入力装置であり、各照明器具２の光源２５の態様（光源の色彩、強度、向き等）を変化させるために行われたユーザの操作入力を検出し、検出結果に応じた信号を制御部１２に出力する。なお、コントローラ１に表示部を設けて、この表示部に各照明器具２の光源２５の態様を表示するようにしてもよい。
【００１６】
制御部１２は、例えば、ＣＰＵ（Central Processing Unit）および半導体メモリ等を含むマイクロコンピュータで構成される。制御部１２は、各種プログラムを実行することにより、各照明器具２との間で照明制御信号の送受信を行う。具体的に、制御部１２は、操作部１１から入力された信号に応じて、各照明器具２の光源２５の態様を示す制御値を含む照明制御信号を生成する。そして、制御部１２は、通信部１３に照明制御信号を出力する。
【００１７】
通信部１３は、例えば、電気回路等で構成され、制御部１２から入力される照明制御信号をネットワーク４に出力する。
【００１８】
（照明器具の構成）
照明器具２は、通信部２１と、操作部２２と、記憶部２３と、制御部２４と、光源２５とを備える。
【００１９】
通信部２１は、例えば、電気回路等で構成され、ネットワーク４を介して、コントローラ１から出力される照明制御信号を受信する。通信部２１は、受信した照明制御信号を制御部２４に出力する。
【００２０】
また、通信部２１は、ネットワーク４を介して、専用信号（詳しくは後述する）の送受信を行う。具体的に、通信部２１は、制御部２４から入力される専用信号を、ネットワーク４に出力する。また、通信部２１は、ネットワーク４を介して、他の照明器具２から送信された専用信号を受信する。通信部２１は、受信した専用信号を制御部２４に出力する。
【００２１】
操作部２２は、ユーザからの操作入力を受け付ける。操作部２２は、例えば、ボタン、スイッチ、キーボード、タッチパネル等の入力装置であり、自己の動作設定を設定するために行われたユーザの操作入力を検出し、ユーザの操作入力に応じた信号を制御部２４に出力する。なお、照明器具２に表示部を設けて、この表示部に自己の動作設定を表示するようにしてもよい。
【００２２】
記憶部２３は、ＲＯＭ、ＲＡＭ、ＨＤＤおよびＳＳＤ等によって構成された記憶媒体である。記憶部２３には、制御部２４によって実行される各種プログラムが記憶されている。また、記憶部２３には、自身に設定された動作設定が記憶されている。記憶部２３に記憶される動作設定として、例えば、ネットワーク４における通信アドレスの設定、照明制御信号が遮断された場合の動作設定、制御チャンネルモードの設定（調光色数の設定）、色補正モード（光源２５同士の色合わせを行うモード）の有無の設定、調光カーブの設定、調光レベル表示方式（例えば、調光レベルを１００段階または２５５段階で表示する）の設定、点灯状態（例えば、点灯、点滅、ストロボまたはフラッシュ）の設定、調光分解能（例えば、８ｂｉｔ制御または１６ｂｉｔ制御）の設定、放熱ファンのＯＮ／ＯＦＦの設定、ランプチェックのＯＮ／ＯＦＦの設定、および色温度（例えば、２７００Ｋ，４０００Ｋまたは６５００Ｋ）の設定が挙げられる。
【００２３】
制御部２４は、例えば、ＣＰＵおよび半導体メモリ等を含むマイクロコンピュータで構成される。制御部２４は、記憶部２３に記憶された各種プログラムを実行することにより、自己の光源２５の態様を変化させる。制御部２４は、通信部２１から入力される照明制御信号に含まれる制御値に基づき、光源２５に供給される電力を制御し、自己の光源２５の態様を変化させる。
【００２４】
また、制御部２４は、記憶部２３に記憶された動作設定に基づき、自己（照明器具２）を動作させる。例えば、制御部２４は、記憶部２３にネットワーク４における通信アドレスの設定が記憶されている場合、照明制御信号に含まれる制御値のうち、設定された通信アドレスに含まれる制御値に従って、光源２５の態様を変化させる。
【００２５】
また、制御部２４は、設定部２６と、信号生成部２７とを備える。
【００２６】
設定部２６は、操作部２２から入力された信号（自己の動作設定に関する情報を含む）、または、通信部２１が受信した専用信号に基づいて、自己の動作設定を行う。具体的には、設定部２６は、操作部２２から制御部２４に信号が入力された場合、この信号に従って自己（照明器具２）の動作設定を行う。すなわち、設定部２６は、操作部２２が受けた動作設定に従って、自己の動作設定を行う。また、設定部２６は、通信部２１から制御部２４に専用信号が入力された場合、専用信号が示す動作設定を自己の動作設定として設定する。設定部２６によって行われた動作設定は、記憶部２３に記憶される。
【００２７】
信号生成部２７は、操作部２２により設定された動作設定を示す専用信号を生成する。具体的には、信号生成部２７は、操作部２２により自己の動作設定が設定された場合、記憶部２３に記憶された自己の動作設定を読み出して、自己の動作設定を示す専用信号を生成する。信号生成部２７は、生成した専用信号を通信部２１に出力する。
【００２８】
光源２５は、例えば、ハロゲンランプ、蛍光灯およびＬＥＤ等で構成される。光源２５は、例えば、赤色（Red）、緑色（Green）および青色（Blue）の発光素子を有するものや、赤色、緑色、青色および白色（White）の発光素子を有するものを含む。
【００２９】
（専用信号について）
照明システムＡでは、照明制御信号および専用信号は、いずれも、ＤＭＸ−５１２規格に従って、生成される。ＤＭＸ−５１２規格では、デジタル形式で信号が生成され、１つの信号に５１２個の制御値を含むことができる。
【００３０】
図３はＤＭＸ−５１２規格に従って生成された信号（以下、ＤＭＸ信号ということがある）の波形図を示す。ＤＭＸ−５１２規格では、信号の開始位置に、所定時間ＬＯＷ状態が継続するブレイクタイムが設けられている。ブレイクタイムの後に、信号の種類を示す制御値が含まれる８ｂｉｔのスタートコード領域が設けられており、このスタートコード領域の後に、複数のデータ領域が設けられている。
【００３１】
照明制御信号は、スタートコード領域に所定情報（例えば、「００」，「ＣＣ」等）を含む。また、照明制御信号は、複数のデータ領域に、各照明器具２の光源２５の態様を示す制御値を含む。各データ領域に、いずれの照明器具２の光源２５の制御値が含まれるかは、予め定められており、コントローラ１の制御部１２は、各データ領域に、対応する光源２５の制御値を含んだ照明制御信号を生成する。
【００３２】
また、専用信号は、スタートコード領域に所定情報とは異なる専用情報（例えば、「ＡＡ」等）を含む。専用信号は、複数のデータ領域に、自己の動作設定に関する情報を含む。各データ領域に、いずれの動作設定が含まれるかは予め定められており（例えば、専用信号の１番目のデータ領域に、照明制御信号が遮断された場合の動作に関する情報を含む等）、照明器具２の信号生成部２７は、各データ領域に、対応する動作設定の制御値を含んだ専用信号を生成する。
【００３３】
すなわち、本照明システムでは、同一のプロトコル（ＤＭＸ−５１２規格）に従って、照明制御信号および専用信号が生成される。また、コントローラ１と照明器具２との間において、照明制御信号および専用信号は、同一のネットワーク４を介して、送受信される。照明器具２は、受信したＤＭＸ信号のスタートコード領域に含まれる情報が所定情報か専用情報かによって、照明制御信号であるか専用信号であるかの判別を行う。
【００３４】
（照明システムの動作）
図１〜図４を参照しつつ、本照明システムの動作を説明する。図４は本照明システムの動作を示すフローチャートである。なお、図２において、照明器具２Ａがユーザからの動作設定を受け付け、照明器具２Ｂに専用信号を送信するものとする。
【００３５】
ステップＳ１において、照明器具２Ａは、ユーザからの動作設定に関する操作を受け付ける。具体的には、照明器具２Ａの操作部２２は、ユーザからの操作入力を検出して、ユーザの操作入力に応じた（自己の動作設定に関する情報を含む）信号を、制御部２４に出力する。
【００３６】
ステップＳ２において、照明器具２Ａは、自己の動作設定を行う。具体的に、照明器具２Ａの設定部２６は、操作部２２から入力された信号に基づき、自己（照明器具２Ａ）の動作設定を行う。また、設定部２６は、自己の動作設定を記憶部２３に記憶する。
【００３７】
ステップＳ３において、照明器具２Ａは、自己の動作設定を示す専用信号を生成する。具体的には、設定部２６により自己の動作設定が行われたとき、照明器具２Ａの信号生成部２７は、スタートコード領域に所定情報とは異なる専用情報を含み、かつ、所定のデータ領域に自己の動作設定を含む専用信号を生成する。
【００３８】
ステップＳ４において、照明器具２Ａは、信号生成部２７により生成された専用信号をネットワーク４を介して、照明器具２Ｂに送信する。具体的には、照明器具２Ａの通信部２１は、制御部２４から専用信号の入力を受け、ネットワーク４に専用信号を出力する。
【００３９】
ステップＳ５において、照明器具２Ｂは、専用信号を受信する。具体的には、照明器具２Ｂの通信部２１は、ネットワーク４を介して、照明器具２Ａの通信部２１から出力された専用信号を受信する。照明器具２Ｂの通信部２１は、受信した専用信号を照明器具２Ｂの制御部２４に出力する。
【００４０】
ステップＳ６において、照明器具２Ｂは、専用信号の示す動作設定を自己の動作設定として設定する。
【００４１】
以上の構成により、複数の照明器具２は、コントローラ１から照明制御信号が伝送される同一のネットワーク４に接続されている。照明器具２Ａは、ユーザからの動作設定を受け付ける操作部２２と、操作部２２によって受け付けた動作設定に従って、自己（照明器具２Ａ）の動作設定を行う設定部２６と、設定部２６により設定された動作設定を示す専用信号を生成する信号生成部２７と、信号生成部２７により生成された専用信号を、ネットワーク４に送信する通信部２１とを備える。照明器具２Ｂは、ネットワーク４から専用信号を受信する通信部２１と、専用信号が示す動作設定を、自己の動作設定として設定する設定部２６とを備える。すなわち、照明システムＡでは、照明制御信号の送受信が行われるネットワーク４を介して、専用信号の送受信が行われる。また、照明器具２Ｂは、照明器具２Ａから送信された専用信号が示す動作設定を自己の動作設定として設定する。このため、ユーザが照明器具２Ａに対して動作設定を行うことにより、照明器具２Ｂの動作設定を、ユーザが照明器具２Ａに対して行った動作設定と同一にすることができる。したがって、一つの照明器具に対する動作設定を行うによって、他の照明器具に対して一括して動作設定を行うことができるため、別途装置を設ける必要がない。これにより、照明器具ごとに同一の動作設定を行う手間を省きつつ、別途装置を設けるコストを省くことができるため、照明システム内の照明器具の動作設定を容易に行うことができる。
【００４２】
（その他の実施形態）
以上のように、本出願において開示する技術の例示として、実施形態について説明した。しかしながら、本開示における技術は、これに限定されず、適宜、変更、置き換え、付加、省略などを行った実施形態にも適用可能である。
【００４３】
上記実施形態について、以下のような構成としてもよい。
【００４４】
照明器具２Ａは、設定部２６により自己の動作設定が行われたとき、自己の動作設定を示す専用信号をネットワーク４に送信してもよい。
【００４５】
また、照明器具２Ａは、専用信号を送信するか否かを設定可能に構成されてもよい。また、照明器具２Ａは、専用信号の送信を行わない設定がされているとき、信号生成部２７に専用信号の生成を行わせないようにしてもよい。
【００４６】
また、照明器具２は、専用信号を受信したとき、専用信号が示す動作設定を自己の動作設定として設定するか否かを設定可能に構成されてもよい。例えば、図２において、照明器具２Ｂは、機能ＯＮ、すなわち、専用信号を受信した場合、専用信号が示す動作設定を自己の動作設定として設定する。これに対して、照明器具２Ｃは、機能ＯＦＦ、すなわち、専用信号を受信した場合、専用信号が示す動作設定を自己の動作設定として設定しない。これにより、照明システム内に、例えば、常設の照明器具等、動作設定を変更したくない照明器具が存在する場合に対応することができる。
【００４７】
また、照明器具２は、信号生成部２７を備えず、通信部２１が専用信号の送信を行わなくてもよい。すなわち、照明器具２は、専用信号の送受信機能のうち、専用信号を送信する機能を備えず、専用信号を受信する機能のみを備えてもよい。
【００４８】
また、照明器具２は、通信部２１が専用信号を受信しなくてもよい。すなわち、照明器具２は、専用信号の送受信機能のうち、専用信号を受信する機能を備えず、専用信号を送信する機能のみを備えてもよい。
【００４９】
また、コントローラ１の信号生成部２７は、専用信号をＤＭＸ−５１２規格以外のプロトコルで生成してもよい。ただし、コントローラ１の信号生成部２７は、照明制御信号と同一のプロトコルで専用信号を生成する。
【符号の説明】
【００５０】
Ａ  照明システム
１  コントローラ
２（２Ａ〜２Ｃ）  照明器具
４  ネットワーク
２１  通信部
２２  操作部
２６  設定部
２７  信号生成部
【図１】
2020136132.tif 000003
【図２】
2020136132.tif 000004
【図３】
2020136132.tif 000005
【図４】
2020136132.tif 000006